(57)【特許請求の範囲】
【請求項１】
搭載部品の仕様情報を記憶する仕様情報記憶ユニットと、
外部から入力された設計情報に対応する前記仕様情報を前記仕様情報記憶ユニットから読み出して、前記搭載部品を電力経路で接続した系統ツリー情報を作成すると共に、読み出した前記仕様情報に基づき前記搭載部品に供給する電力を前記電力経路毎に求めて、当該電力経路の特性値情報を作成すると共に、前記仕様情報に基づき電源シーケンス情報を作成するツリー情報作成部と、
前記系統ツリー情報に前記特性値情報、及び電源シーケンス情報を重ねて表示する表示部とを備え、
前記表示部が、前記電力経路を表示する際に、電力系統ツリー、特性値情報、電源シーケンスを同時に表示すると共に、前記電力系統ツリー内の電源入力部、及び電源部を、前記電源シーケンスと関連付けて配置表示し、電源シーケンスの順番に前記電源入力部、前記電源部を表示して、電子機器における配線基板に搭載した搭載部品間の電力経路を表示する電力系統ツリー表示システム。
【請求項２】
前記表示部が、前記電力経路を表示する際に、前記電源シーケンスの順に配置表示した電力系統ツリー内の電源入力部、及び電源部と、前記電源シーケンスの所定のタイミング箇所とを線で接続して表示する請求項１に記載の電力系統ツリー表示システム。
【請求項３】
前記表示部が、前記電力経路を表示する際に、前記電源シーケンスの順に配置表示した電力系統ツリー内の電源入力部、及び電源部に、投入、切断の順番を表示する請求項１または請求項２に記載の電力系統ツリー表示システム。
【請求項４】
前記表示部が、前記電源シーケンスを表示する際に、各電圧において立ち上がり時間、及び立ち下がり時間を考慮して電源シーケンスの表示を行う請求項１から請求項３の何れか１項に記載の電力系統ツリー表示システム。
【請求項５】
前記電源シーケンス情報には、各電圧の立ち上がりのタイミング間の間隔を定義する所定の時間を備え、
前記表示部が、前記電源シーケンスにおいて前記所定の時間を表示する請求項１から請求項４の何れか１項に記載の電力系統ツリー表示システム。
【請求項６】
前記表示部が、電力系統ツリー内の電源入力部としてコネクタを表示すると共に、コネクタ挿抜のシーケンスを含めた配線基板全体のシーケンスを表示する請求項１から請求項５の何れか１項に記載の電力系統ツリー表示システム。
【請求項７】
前記電源シーケンスが電源の投入シーケンス、電源の切断シーケンスである請求項１から請求項６の何れか１項に記載の電力系統ツリー表示システム。
【請求項８】
仕様情報記憶ユニットが、搭載部品の仕様情報を記憶する工程と、
ツリー情報作成部が、外部から入力された設計情報に対応する前記仕様情報を前記仕様情報記憶ユニットから読み出して、前記搭載部品を電力経路で接続した系統ツリー情報を作成すると共に、読み出した前記仕様情報に基づき前記搭載部品に供給する電力を前記電力経路ごとに求めて、当該電力経路の特性値情報を作成すると共に、前記仕様情報に基づき電源シーケンス情報を作成する工程と、
表示部が、前記系統ツリー情報に前記特性値情報、及び電源シーケンス情報を重ねて表示する工程とを含み、
前記表示部が、前記電力経路を表示する際に、電力系統ツリー、特性値情報、電源シーケンスを同時に表示すると共に、前記電力系統ツリー内の電源入力部、及び電源部を、前記電源シーケンスと関連付けて配置表示し、電源シーケンスの順番に前記電源入力部、前記電源部を表示して、電子機器における配線基板に搭載した搭載部品間の電力経路を表示する電力系統ツリー表示方法。
【請求項９】
コンピュータを、
外部から入力された設計情報に該当する仕様情報を仕様情報記憶ユニットから読み出して、搭載部品を電力経路で接続した系統ツリー情報を作成すると共に、読み出した前記仕様情報に基づき前記搭載部品に供給する電力を前記電力経路毎に求めて、当該電力経路の特性値情報を作成すると共に、前記仕様情報に基づき電源シーケンス情報を作成するツリー情報作成部、
前記系統ツリー情報に前記特性値情報、及び電源シーケンス情報を重ねて表示する表示部
として機能させ、
前記表示部が、前記電力経路を表示する際に、電力系統ツリー、特性値情報、電源シーケンスを同時に表示すると共に、前記電力系統ツリー内の電源入力部、及び電源部を、前記電源シーケンスと関連付けて配置表示し、電源シーケンスの順番に前記電源入力部、前記電源部を表示して、電子機器における配線基板に搭載した搭載部品間の電力経路を表示する電力系統ツリー表示プログラム。
【発明の詳細な説明】
【技術分野】
【０００１】
本発明は、電力系統ツリーを自動的に作成するのに好適な電力系統ツリー表示システム、電力系統ツリー表示装置、電力系統ツリー表示方法及び電力系統ツリー表示プログラムに関する。
【背景技術】
【０００２】
電力系統ツリー表示システム、電力系統ツリー表示装置、電力系統ツリー表示方法および電力系統ツリー表示プログラムの一例が特許文献１に記載されている。
特許文献１に記載の電力系統ツリー表示システムは、予め登録されたシンボル図の端子とデバイスとの接続関係からシンボル図の端子同士を接続し、階層構造の系統ツリーを作成する。
【先行技術文献】
【特許文献】
【０００３】
【特許文献１】特開２００９−６９８８４号公報
【発明の概要】
【発明が解決しようとする課題】
【０００４】
近年、電気機器の機能向上により機器内で取り扱う電圧の種類が増加し、かつ、使用する電圧の低電圧化等が進んでいる。
このような電気機器の設計に対する信頼性を向上させるために電力系統ツリーを表示させて設計を行い、また設計の検証を行うことが有効である。
特に、信頼性の高い給電設計を行うためには、設計段階で電源を投入及び切断するタイミングを把握し、最適な電源投入／切断シーケンスを構成する必要がある。【０００５】
ところが、特許文献１に記載の電力系統ツリー表示システムでは、電源投入／切断シーケンスに関する情報が電力系統ツリーに含まれない。
このため、特許文献１に記載の電力系統ツリー表示システムは、電源投入／切断シーケンスが妥当であるか否か等の判断を行う際に、電源投入／切断シーケンスを個別に表示させる必要がある。
従って、この電力系統ツリー表示システムは、設計作業や設計検証作業を効率よく行うことが困難であった。【０００６】
本発明は、前述した課題を解決するためになされたものであり、その目的は、設計作業や設計検証作業を効率的に行うことができる電力系統ツリー表示システム、電力系統ツリー表示装置、電力系統ツリー表示方法及び電力系統ツリー表示プログラムを提供することにある。
【課題を解決するための手段】
【０００７】
本発明の一実施形態における電力系統ツリー表示システムは、搭載部品の仕様情報を記憶する仕様情報記憶ユニットと、外部から入力された設計情報に該当する前記仕様情報を前記仕様情報記憶ユニットから読み出して、前記搭載部品を前記電力経路で接続した系統ツリー情報を作成すると共に、読み出した前記仕様情報に基づき前記搭載部品に供給する電力を前記電力経路毎に求めて、当該電力経路の特性値情報を作成すると共に、前記仕様情報に基づき電源シーケンス情報を作成するツリー情報作成部と、前記系統ツリー情報に前記特性値情報、及び電源シーケンス情報を重ねて表示する表示部と、を備え、前記表示部が、前記電力経路を表示する際に、電力系統ツリー、特性値情報、電源シーケンスを同時に表示すると共に、前記電力系統ツリー内の電源入力部、及び電源部を、前記電源シーケンスと関連付けて配置表示し、電源シーケンスの順番に前記電源入力部、前記電源部を表示して、電子機器における配線基板に搭載した搭載部品間の電力経路を表示することを特徴とする。【０００８】
本発明の一実施形態における電力系統ツリー表示装置は、搭載部品の仕様情報を記憶する仕様情報記憶ユニットと、外部から入力された設計情報に該当する前記仕様情報を前記仕様情報記憶ユニットから読み出して、前記搭載部品を前記電力経路で接続した系統ツリー情報を作成すると共に、読み出した前記仕様情報に基づき前記搭載部品に供給する電力を前記電力経路毎に求めて、当該電力経路の特性値情報を作成すると共に、前記仕様情報に基づき電源シーケンス情報を作成するツリー情報作成部と、前記系統ツリー情報に前記特性値情報、及び電源シーケンス情報を重ねて表示する表示部と、を備え、前記表示部が、前記電力経路を表示する際に、電力系統ツリー、特性値情報、電源シーケンスを同時に表示すると共に、前記電力系統ツリー内の電源入力部、及び電源部を、前記電源シーケンスと関連付けて配置表示し、電源シーケンスの順番に前記電源入力部、前記電源部を表示して、電子機器における配線基板に搭載した搭載部品間の電力経路を表示することを特徴とする。【０００９】
本発明の一実施形態における電力系統ツリー表示方法は、仕様情報記憶ユニットが、搭載部品の仕様情報を記憶する工程と、ツリー情報作成部が、外部から入力された設計情報に該当する前記仕様情報を前記仕様情報記憶ユニットから読み出して、前記搭載部品を前記電力経路で接続した系統ツリー情報を作成すると共に、読み出した前記仕様情報に基づき前記搭載部品に供給する電力を前記電力経路毎に求めて、当該電力経路の特性値情報を作成すると共に、前記仕様情報に基づき電源シーケンス情報を作成する工程と、表示部が、前記系統ツリー情報に前記特性値情報、及び電源シーケンス情報を重ねて表示する工程とを含み、前記表示部が、前記電力経路を表示する際に、電力系統ツリー、特性値情報、電源シーケンスを同時に表示すると共に、前記電力系統ツリー内の電源入力部、及び電源部を、前記電源シーケンスと関連付けて配置表示し、電源シーケンスの順番に前記電源入力部、前記電源部を表示して、電子機器における配線基板に搭載した搭載部品間の電力経路を表示することを特徴とする。【００１０】
本発明の一実施形態における電力系統ツリー表示プログラムは、仕様情報記憶ユニットが、搭載部品の仕様情報を記憶するプログラムと、ツリー情報作成部が、外部から入力された設計情報に該当する前記仕様情報を前記仕様情報記憶ユニットから読み出して、前記搭載部品を前記電力経路で接続した系統ツリー情報を作成すると共に、読み出した前記仕様情報に基づき前記搭載部品に供給する電力を前記電力経路毎に求めて、当該電力経路の特性値情報を作成すると共に、前記仕様情報に基づき電源シーケンス情報を作成するプログラムと、表示部が、前記系統ツリー情報に前記特性値情報、及び電源シーケンス情報を重ねて表示するプログラムとを含み、前記表示部が、前記電力経路を表示する際に、電力系統ツリー、特性値情報、電源シーケンスを同時に表示すると共に、前記電力系統ツリー内の電源入力部、及び電源部を、前記電源シーケンスと関連付けて配置表示し、電源シーケンスの順番に前記電源入力部、前記電源部を表示して、電子機器における配線基板に搭載した搭載部品間の電力経路を表示することを特徴とする。
【発明の効果】
【００１１】
本発明に係る電力系統ツリー表示システム、電力系統ツリー表示装置、電力系統ツリー表示方法および電力系統ツリー表示プログラムによれば、設計作業や設計検証作業を効率的に行うことができる。
【図面の簡単な説明】
【００１２】
【図１】本発明に係る第１実施形態の電力系統ツリー表示システムのブロック構成図である。
【図２】本発明に係る第１実施形態の電力系統ツリー表示システムにより表示する第１の表示例の電力系統ツリーである。
【図３】本発明に係る第１実施形態の電力系統ツリー表示システムにより表示する第２の表示例の電力系統ツリーである。
【図４】本発明に係る第１実施形態の電力系統ツリー表示システムにより表示する第３の表示例の電力系統ツリーである。
【図５】本発明に係る第１実施形態の電力系統ツリー表示システムにより表示する第４の表示例の電力系統ツリーである。
【図６】本発明に係る第１実施形態の電力系統ツリー表示システムにより表示する第５の表示例の電力系統ツリーである。
【図７】本発明に係る第２実施形態の電力系統ツリー表示システムのブロック構成図である。
【図８】本発明に係る第２実施形態の電力系統ツリー表示システムの処理手順を説明するフローチャートである。
【発明を実施するための形態】
【００１３】
以下、本発明に係る複数の実施形態の電力系統ツリー表示システム、電力系統ツリー表示装置、電力系統ツリー設計方法及び電力系統ツリー表示プログラムについて図面を参照して説明する。
なお、以下の説明では、電源やデバイス等の電子部品が配線基板（プリント配線基板）に搭載される場合について説明する。このとき、配線基板に搭載される電子部品を総称して搭載部品と記載する。
【００１４】
（第１実施形態）
図１に示すように、本発明に係る第１実施形態の電力系統ツリー表示システム１は、電力系統ツリー表示プログラムを実行する電力系統ツリー表示装置２を有する。
電力系統ツリー表示装置２は、仕様情報記憶ユニット３と、ツリー情報作成部４と、表示部５とを備えている。
【００１５】
仕様情報記憶ユニット３は、デバイスに関するデバイス情報、電源に関する電源情報、プリント配線基板（図２参照）２８に関する基板情報等の仕様情報６を記憶している。
ツリー情報作成部４は、ユーザにより指定された設計情報７に基づき、仕様情報記憶ユニット３から必要な仕様情報６を抽出する。そして、抽出した仕様情報６に基づき電力の供給路をなす電力経路（図２参照）２３ａ〜２３ｊ等からなる系統ツリー情報と、この電力経路２３ａ〜２３ｊを流れる電流値等の特性値情報と、各電源の投入、切断シーケンス情報を生成する。
表示部５は、生成された系統ツリー情報を表示すると共に、この系統ツリー情報に重ねて特性値情報、及び各電源の投入、切断シーケンス情報を表示する。
【００１６】
電力系統ツリー表示装置２は、表示部５が電力経路２３ａ〜２３ｊを表示する際に、電力系統ツリー、特性値情報、電源シーケンスを同時に表示すると共に、電力系統ツリー内の電源入力部（図２参照）２９、及び電源部（図２参照）２１（２１ａ、２１ｂ、２１ｃ）は、電源シーケンスと関連付けて配置表示し、電源シーケンスの順番に電源入力部２９、電源部を表示して、電子機器におけるプリント配線基板２８に搭載した搭載部品間の電力経路２３ａ〜２３ｊを表示する。
ここで、系統ツリー情報と特性値情報と各電源の投入、切断シーケンス情報は同一画面に表示される。従って、ユーザは、電力系統ツリーを視認した際に、特性値情報や各電源の投入、切断シーケンス情報も視覚的に認識できるようになり、電子機器の設計作業や設計検証作業が効率よく行うことができる。
【００１７】
次に、電力系統ツリー表示装置２が表示する電力系統ツリーの第１の表示例について説明する。
図２に示すように、電力系統ツリー表示装置２が表示する第１の表示例では、電力系統ツリー表示部２０と電源シーケンス表示部２６とを表示しており、直流電圧（以下ＤＣ）１２Ｖ、電流１０Ａの電力が、外部から電力経路２３ａを介して供給され、分岐点２４ａで電力経路２３ｂ、２３ｃに分岐する。
この第１の表示例において、分岐点２４ａと電源部２１ａとは、電力経路２３ｂにより接続され、分岐点２４ａと電源部２１ｂとは、電力経路２３ｃにより接続している。この電力経路２３ｂに流れる電流は８Ａであり、電力経路２３ｃに流れる電流は２Ａである。
【００１８】
また、第１の表示例において、電源部２１ａはＤＣ１２ＶからＤＣ５Ｖへの電圧変換を行い、ＤＣ５Ｖ、電流１５Ａの電力が電力経路２３ｄに出力する。電力経路２３ｄは、分岐点２４ｂで電力経路２３ｅ、２３ｆに分岐する。電力経路２３ｅは、分岐点２４ｂと分岐点２４ｃとを接続する経路で、ＤＣ５Ｖ、１０Ａの電力を分岐点２４ｃに供給する。また、電力経路２３ｆは、分岐点２４ｂと電源部２１ｃを接続する経路で、ＤＣ５Ｖ、５Ａの電力を電源部２１ｃに供給する。
【００１９】
そして、第１の表示例において、分岐点２４ｃとデバイス２２ａ間を接続する電力経路２３ｈは、デバイス２２ａにＤＣ５Ｖ、２Ａを供給する。また分岐点２４ｃとデバイス２２ｂを接続する電力経路２３ｉは、デバイス２２ｂにＤＣ５Ｖ、８Ａを供給する。デバイス２２は、例えばＬＳＩ、メモリー、機能モジュール等の電子部品である。
【００２０】
さらに、第１の表示例において、電源部２１ｃではＤＣ５ＶからＤＣ１．８Ｖへの電圧変換を行い、ＤＣ１．８Ｖ、電流１２Ａの電力を電力経路２３ｊに出力する。電力経路２３ｊは、デバイス２２ｂにＤＣ１．８Ｖ、電流１２Ａを供給する。また、電源部２１ｂではＤＣ１２ＶからＤＣ３．３Ｖへの電圧変換を行い、ＤＣ３．３Ｖ、電流６Ａの電力を電力経路２３ｇに出力する。電力経路２３ｇは、デバイス２２ｃにＤＣ３．３Ｖ、電流６Ａを供給する。
【００２１】
加えて、第１の表示例において、電源を投入するタイミングを示す電源シーケンス表示部２６は、ＤＣ１２Ｖがタイミングｔ０で立ち上がる波形２６ａ、ＤＣ５Ｖがタイミングｔ１で立ち上がる波形２６ｂ、ＤＣ３．３Ｖがタイミングｔ２で立ち上がる波形２６ｃ、ＤＣ１．８Ｖがタイミングｔ３で立ち上がる波形２６ｄで構成する。電源を投入するタイミングは、電圧波形において、各電圧が所定の電圧値まで到達する立ち上がり時間２１０を考慮してタイミングの逆転が無きよう表示する。
【００２２】
このとき、電力系統ツリー表示部２０では、プリント配線基板２８の外部から電力を得る電源入力部２９、およびプリント配線基板２８上に構成する各電源部２１ａ、２１ｂ、２１ｃは、電源を投入するタイミング順に配置して表示する。すなわち、本実施例では図面の横方向において、最も左側のタイミングｔ０の位置に電源入力部２９を、タイミングｔ１の位置に電源部２１ａの出力部を、タイミングｔ２の位置に電源部２１ｂの出力部を、タイミングｔ３の位置に電源部２１ｃの出力部を配置して表示する。また、電源入力部２９、及び各電源部２１ａ、２１ｂ、２１ｃには投入する順番Ｓ０、Ｓ１、Ｓ２、Ｓ３を電源シーケンス順番２１１とする。
【００２３】
第１の表示例は、電源シーケンス表示部２６において、各電源を投入するタイミングを示すｔ０、ｔ１、ｔ２、ｔ３の位置と、電力系統ツリー表示部２０内における電源入力部２９、及び各電源部２１ａ、２１ｂ、２１ｃの位置関係の関連性を容易に認識可能とするために両者を点線で結んでいる。
なお、第１の表示例では、電源シーケンス表示部２６において、各電源を投入するタイミングを示すｔ０、ｔ１、ｔ２、ｔ３は、各電圧波形の立ち上がり開始部としているが、これに限られず、タイミングを示すｔ０、ｔ１、ｔ２、ｔ３の位置は、各電圧波形が立ち上がる過程において任意に設定することができる。例えば、各電圧においてロー／ハイが切り替わるスレッショルド電圧をタイミング表示の位置としても良い。
【００２４】
このように、第１の表示例は、電力系統ツリーと電源投入シーケンスとを同時に表示すると共に、電力系統ツリー内の電源入力部２９、及び各電源部２１ａ、２１ｂ、２１ｃを投入するタイミング順に配置して、どの電源がどのタイミング立ち上がるのかを明確に表示することで、各電源部２１ａ、２１ｂ、２１ｃの投入シーケンスを視覚的に把握することが可能になり、給電設計が容易になると共に、設計検証を容易に、かつ正確に行うことが可能になる。
【００２５】
次に、電力系統ツリー表示装置２が表示する第２の表示例の電力系統ツリーについて説明する。
図３に示すように、電力系統ツリー表示装置２が表示する第２の表示例は、以下の点を除いて、第１の表示例と同様の構成である。
電源電圧の投入、切断シーケンスにおいては、必ず遵守する必要のある時間が存在する場合がある。この時間は電源情報の中の電源シーケンス情報に含まれている。
【００２６】
第２の表示例では、シーケンス上にこの時間を表示しており、電源シーケンス表示部２６において、ＤＣ１２Ｖが立ち上がるタイミングとＤＣ５Ｖが立ち上がるタイミングの間隔５０が、１００ｍｓｅｃ必要なことを表示している。このとき、各電圧波形において、立ち上がり時間を考慮して投入時間の間隔が設定され表示される。
【００２７】
第２の表示例は、第１の表示例と同様の効果を得ることができる。さらに、第２の表示例は、電圧投入間の時間を細かく表現することで、電源シーケンスにおけるスペック違反を引き起こす危険性を低減し、より詳細な設計検証が行うことができる。
【００２８】
次に、電力系統ツリー表示装置２が表示する第３の表示例の電力系統ツリーについて説明する。
図４に示すように、電力系統ツリー表示装置２が表示する第３の表示例は、電力系統ツリー表示部６０と電源シーケンス表示部６６とを表示しており、以下の点を除いて、第１の表示例と同様の構成である。
この第３の表示例では、プリント配線基板２８に外部から電力を入力する電源入力部２９において、コネクタ６４を表示している。コネクタ６４の情報は、コネクタ６４の挿抜時のシーケンス情報と共に電源情報に含まれる。第３の表示例では、電源入力部２９のコネクタ６４を含んだプリント配線基板２８において、投入シーケンスを表示する。
【００２９】
また、第３の表示例では、コネクタ６４は、長さの異なる複数のコンタクト６１ａを備えている。そして、長いコンタクト６１ａがグランド（以下ＧＮＤ）、短いコンタクト６１ｂがＤＣ１２Ｖにアサインされ、各々プリント配線基板２８内のＧＮＤパターン、ＤＣ１２Ｖパターンに接続している。このようなコネクタ６４は、設計対象のプリント配線基板２８が活線挿抜仕様の場合等に用いられるものである。
【００３０】
そして、第３の表示例において、投入シーケンスは、電源入力部２９のコネクタ６４を含んだプリント配線基板２８において表示される。タイミングｔ０でＧＮＤ、タイミングｔ１でＤＣ１２Ｖ、タイミングｔ２で電源部２１ａ、タイミングｔ３で電源部２１ｂ、タイミングｔ４で電源部２１ｃが立ち上がるシーケンスになっている。この時、ＧＮＤの波形６６ａとＤＣ１２Ｖの波形６６ｂ間の立ち上がり間隔は、コネクタ６４の特性に依存するところが大きく、所望のシーケンスを得るために、コネクタ６４の選択が重要になってくる。
【００３１】
さらに、第３の表示例は、第１の表示例と同様の効果を得ることができる。さらに、第３の表示例は、電源入力部２９のコネクタ６４の情報まで含めた電源シーケンスを表現することで、より詳細な設計検証が行うことができる。
【００３２】
次に、電力系統ツリー表示装置２が表示する第４の表示例の電力系統ツリーについて説明する。
図５に示すように、電力系統ツリー表示装置２が表示する第４の表示例は、以下の点を除いて、第２の表示例と同様の構成である。
この第４の表示例は、電源シーケンス表示部２６において、ＤＣ１２Ｖが立ち上がるタイミングとＤＣ５Ｖが立ち上がるタイミングの間隔５０、ＤＣ５Ｖが立ち上がるタイミングとＤＣ３．３Ｖが立ち上がるタイミングの間隔５０、及びＤＣ３．３Ｖが立ち上がるタイミングとＤＣ１．８Ｖが立ち上がるタイミングの間隔５０が、それぞれ５０ｍｓｅｃ必要なことを表示している。
【００３３】
このとき、各電圧波形においては、立ち上がり時間を考慮してｔ０からｔ３までの投入時間の間隔が設定され表示される。各電圧波形の立ち上がり時間と、それに対応する電力系統ツリー表示部の電源入力部２９、及び電源部２１ａ、２１ｂ、２１ｃは関連付け線７０で関連づけられるが、関連付け線７０は直線である必要は無い。例えば、タイミングｔ１と電源部２１ａを接続する関連付け線、及びタイミングｔ３と電源部２１ｃを接続する関連付け線のように直線ではない。
【００３４】
また、第４の表示例は、第２の表示例と同様の効果を得ることができる。さらに、第４の表示例は、直線以外の線で電源シーケンスにおけるタイミングと電力系統ツリー表示部の電源入力部２９、及び電源部２１ａ、２１ｂ、２１ｃを関連付けて表現することで、より詳細な設計検証が行うことができる。
【００３５】
次に、電力系統ツリー表示装置２が表示する第５の表示例の電力系統ツリーについて説明する。
図６に示すように、電力系統ツリー表示装置２が表示する第５の表示例は、電力系統ツリー表示部８０と電源シーケンス表示部８６とを表示しており、以下の点を除いて、第１の表示例と同様の構成である。
この第５の表示例は、第１の表示例が電源の投入シーケンスを表示しているのに対して、電源の切断シーケンスを表示している。
また、第５の表示例は、タイミングｔ０で電源部２１ｃ、タイミングｔ１で電源部２１ｂ、タイミングｔ２で電源部２１ａ、タイミングｔ３でＤＣ１２Ｖが立ち下がる切断シーケンスである。この時、各電圧波形において立ち下がり時間８１０を考慮した基に、切断シーケンスは表示される。
なお、第５の表示例では、電源シーケンス表示部８６において、各電源を切断するタイミングを示すｔ０、ｔ１、ｔ２、ｔ３は、各電圧波形の立ち下がり開始部としているが、これに限られず、タイミングを示すｔ０、ｔ１、ｔ２、ｔ３の位置は、各電圧波形が立ち下がる過程において任意に設定することができる。例えば、各電圧においてハイ／ローが切り替わるスレッショルド電圧をタイミング表示の位置としても良い。
【００３６】
そして、第５の表示例は、第１の表示例と同様の効果を得ることができる。さらに、第５の表示例は、投入シーケンスと切断シーケンスとの両方を表現することで、より詳細な設計検証を行うことができる。
【００３７】
以上、説明したように、本発明の第１実施形態の電力系統ツリー表示システム１によれば、表示部５が、電力経路２３ａ〜２３ｊを表示する際に、電力系統ツリー、特性値情報、電源投入シーケンスを同時に表示すると共に、電力系統ツリー内の電源入力部２９、及び電源部２１は、電源シーケンスと関連付けて配置表示し、投入の順番に前記電源入力部、前記電源部を表示して、電子機器におけるプリント配線基板２８に搭載した搭載部品間の電力経路を表示する。
従って、電力系統ツリー表示システム１によれば、設計作業や設計検証作業を効率的に行うことができる。
【００３８】
また、電力系統ツリー表示システム１によれば、表示部５が、電力経路２３ａ〜２３ｊを表示する際に、電源シーケンス順に配置表示した電力系統ツリー内の電源入力部２９、及び電源部２１と、電源シーケンスの所定のタイミング箇所とを、線で接続して表示することにより、両者の位置関係の関連性を容易に認識することができる。
【００３９】
また、電力系統ツリー表示システム１によれば、表示部５が、電力経路２３ａ〜２３ｊを表示する際に、電源シーケンス順に配置表示した電力系統ツリー内の電源入力部２９、及び電源部２１に、電源シーケンスの順番を表示する。
従って、電力系統ツリー表示システム１によれば、各電源部２１ａ、２１ｂ、２１ｃの投入シーケンスを視覚的に把握することが可能になり、給電設計が容易になると共に、設計検証を容易に、かつ正確に行うことが可能になる。
【００４０】
そして、電力系統ツリー表示システム１によれば、表示部５が、電源シーケンスを表示する際に、各電圧において立ち上がり時間、及び立ち下がり時間を考慮して電源シーケンスの表示を行う。
従って、電力系統ツリー表示システム１によれば、電圧投入間の時間を細かく表現することで、電源シーケンスにおけるスペック違反を引き起こす危険性を低減し、より詳細な設計検証が行うことができる。
【００４１】
そしてまた、電力系統ツリー表示システム１によれば、電源シーケンス情報に、各電圧の立ち上がりのタイミング間の間隔を定義する所定の時間を備え、表示部５が、電源シーケンスとして所定の時間を表示する。
従って、電力系統ツリー表示システム１によれば、電圧投入間の時間を細かく表現することで、電源シーケンスにおけるスペック違反を引き起こす危険性を低減し、より詳細な設計検証が行うことができる。
【００４２】
さらに、電力系統ツリー表示システム１によれば、表示部５が、電力系統ツリー内の電源入力部としてコネクタ６４を表示すると共に、コネクタ６４の挿抜のシーケンスを含めたプリント配線基板２８全体のシーケンスを表示する。
従って、電力系統ツリー表示システム１によれば、電源入力部２９のコネクタ６４の情報まで含めた電源シーケンスを表現することで、より詳細な設計検証が行うことができる。
【００４３】
加えて、電力系統ツリー表示システム１によれば、表示部５は、電源シーケンスが電源投入シーケンス、電源切断シーケンスである。
従って、電力系統ツリー表示システム１によれば、ユーザが電力系統ツリーを視認した際に、特性値情報や各電源の投入、切断シーケンス情報も視覚的に認識できるようになり、電子機器の設計作業や設計検証作業を効率よく行えることができる。
【００４４】
さらに、電力系統ツリー表示装置２によれば、表示部５が、電力経路２３ａ〜２３ｊを表示する際に、電力系統ツリー、特性値情報、電源シーケンスを同時に表示すると共に、電力系統ツリー内の電源入力部２９、及び電源部２１は、電源シーケンスと関連付けて配置表示し、電源シーケンスの順番に前記電源入力部、前記電源部を表示して、電子機器におけるプリント配線基板２８に搭載した搭載部品間の電力経路２３ａ〜２３ｊを表示する。
従って、電力系統ツリー表示装置２によれば、設計作業や設計検証作業を効率的に行うことができる。
【００４５】
加えて、電力系統ツリー設計方法によれば、表示部５が、電力経路２３ａ〜２３ｊを表示する際に、電力系統ツリー、特性値情報、電源シーケンスを同時に表示すると共に、電力系統ツリー内の電源入力部２９、及び電源部２１は、電源シーケンスと関連付けて配置表示し、電源シーケンスの順番に前記電源入力部、前記電源部を表示して、電子機器におけるプリント配線基板２８に搭載した搭載部品間の電力経路２３ａ〜２３ｊを表示する。
従って、電力系統ツリー表示方法によれば、設計作業や設計検証作業を効率的に行うことができる。
【００４６】
そして、電力系統ツリー表示プログラムによれば、表示部５が、電力経路２３ａ〜２３ｊを表示する際に、電力系統ツリー、特性値情報、電源シーケンスを同時に表示すると共に、電力系統ツリー内の電源入力部２９、及び電源部２１は、電源シーケンスと関連付けて配置表示し、電源シーケンスの順番に前記電源入力部、前記電源部を表示して、電子機器におけるプリント配線基板２８に搭載した搭載部品間の電力経路２３ａ〜２３ｊを表示する。
従って、電力系統ツリー表示プログラムによれば、設計作業や設計検証作業を効率的に行うことができる。
【００４７】
（第２実施形態）
次に、本発明に係る第２実施形態の電力系統ツリー表示システム、電力系統ツリー表示装置、電力系統ツリー設計方法及び電力系統ツリー表示プログラムについて説明する。
なお、以下の各実施形態において、前述した第１実施形態と重複する構成要素や機能的に同様な構成要素については、図中に同一符号あるいは相当符号を付することによって説明を簡略化あるいは省略する。
【００４８】
図７に示すように、本発明に係る第２実施形態の電力系統ツリー表示システム８は、電力系統ツリー設計方法の電力系統ツリー表示プログラムを実行する電力系統ツリー表示装置９を有する。
この電力系統ツリー表示装置９は、仕様情報記憶ユニット３と、ツリー情報作成部４と、表示部５とを備えている。
【００４９】
仕様情報記憶ユニット３は、デバイス情報を記憶しているデバイス情報記憶部３ａ、電源情報を記憶している電源情報記憶部３ｂ、基板情報を記憶している基板情報記憶部３ｃを備えている。
ツリー情報作成部４は、ユーザにより指定された設計情報７に基づき、仕様情報記憶ユニット３から必要な仕様情報を抽出する。そして、ツリー情報作成部４は、抽出した仕様情報に基づき電力経路２３ａ〜２３ｊ等の系統ツリー情報と、電力系統ツリーを流れる電流値等の特性値情報と、各電源の投入、切断シーケンス情報を生成する。
表示部５は、生成された系統ツリー情報を表示すると共に、この系統ツリー情報に特性値情報、各電源の投入、切断シーケンス情報を重ねて表示する。
なお、ここで、「重ねて表示」とは、特性値情報が系統ツリー情報を隠すことなく表示される状態を言う。
【００５０】
デバイス情報としては、各デバイス２２の物理的大きさ（寸法）、電圧の種類（交流、直流いずれの電圧か、電圧値や電流値）、消費電力密度等である。なお、電流値、電圧値、消費電力密度等は、最大値、最小値、平均値、製品仕様値等の少なくとも１つの形式である。
【００５１】
電源情報記憶部３ｂに記憶されている電源情報としては、例えば電源は、入力仕様がＤＣ１２Ｖ、電流１０Ａで、出力仕様がＤＣ３．３Ｖ、電流３０Ａ、電源の立ち上がり時間２０ｍｓｅｃ、立ち下がり時間２０ｍｓｅｃである。また、この電源情報には、電源がコンバータやレギュレータ等の電子部品を含み、これらの電子部品の入出力値や電力変換効率等を表す情報も含めることができる。なお、この場合の数値は例示である。
【００５２】
基板情報記憶部３ｃに記憶されている基板情報は、プリント配線基板２８の基板厚、配線パターン厚さ（電力経路２３ａ〜２３ｊを形成する銅箔等の導体の厚さ）、配線パターン同士を接続等に用いられるスルーホールの形状が例示される。基板情報の具体例は、配線パターンは厚み３５μｍの銅箔であり、スルーホール径０．３ｍｍφ、スルーホールめっき厚２０μｍ、基板厚１．６ｍｍ等である。
【００５３】
次に、電力系統ツリー表示システム８の処理手順についてフローチャートに従い説明する。
図８に示すように、ステップＳ１において、先ず、ユーザは設計情報を分析して構成するデバイス２２を抽出し、抽出されたデバイス２２毎に必要な電源情報（電圧種類、消費電力、サイズ、投入切断シーケンス等）を整理する。
【００５４】
次に、ステップＳ２において、ツリー情報作成部４がデバイス情報を取得する。このとき、デバイス情報がデバイス情報記憶部３ａにライブラリー化等して記憶されている場合は、ツリー情報作成部４はデバイス情報記憶部３ａから該当するデバイス情報を取得する。もし、該当するデバイス情報がデバイス情報記憶部３ａに記憶されていない場合は、ツリー情報作成部４は、ユーザに所定のデータフォーマットでデバイス情報を入力するように要求する。
【００５５】
次に、ステップＳ３において、ツリー情報作成部４が電源情報を取得する。これにより、プリント配線基板２８に入力される電源入力部２９の情報や、プリント配線基板２８の入力端子とデバイス２２との間に配置される電源部２１の情報が取得される。このとき、電源入力部２９の情報や電源情報が電源情報記憶部３ｂにライブラリー化等されて記憶されている場合は、ツリー情報作成部４は、電源情報記憶部３ｂから該当する情報を取得する。もし、該当する情報が電源情報記憶部３ｂに記憶されていない場合は、ツリー情報作成部４は、ユーザに所定のデータフォーマットで電源入力部情報や電源情報を入力するように要求する。
【００５６】
続いて、ステップＳ４において、ツリー情報作成部４が基板情報を取得する。基板情報が基板情報記憶部３ｃにライブラリー化等されて記憶されている場合は、ツリー情報作成部４は、基板情報記憶部３ｃから該当する基板情報を取得する。もし、該当する基板情報が基板情報記憶部３ｃに記憶されていない場合は、ツリー情報作成部４は、ユーザに所定のデータフォーマットで基板情報を入力するように要求する。
【００５７】
さらに、ステップＳ５において、ツリー情報作成部４がデバイス２２と電源部２１、及び電源入力部２９とを接続する電力経路２３ａ〜２３ｊを設定し、電力系統ツリーを完成させる。また、ツリー情報作成部４は、デバイス２２と電源部２１と電源入力部２９とを接続する電力経路２３ａ〜２３ｊを設定して系統ツリー情報を作成すると、特性値情報を作成して所定の位置に特性値情報を表示させる。そして、ツリー情報作成部４は、ステップ１で整理した各電源の投入切断シーケンスやステップ３で取得した電源入力部情報、電源情報に基づき電源シーケンス情報を作成すると、電源シーケンスを所定の位置に表示させる。
【００５８】
また、ツリー情報作成部４は、電源入力部情報、電源情報に基づき作成した電源シーケンス情報により、電力系統ツリー内の電源入力部２９、及び電源部２１を電源シーケンス順に配置表示し、電源シーケンス順番２１１を表示すると共に、電源シーケンスの所定のタイミング箇所と、前記電源入力部２９、及び電源部２１を関連付ける線を表示させる。
【００５９】
そして、ステップＳ６において、ツリー情報作成部４は、表示内容が「ＯＫ」であるか否かの指示待ちとなる。表示内容が「ＯＫ」であるか否かの指示は、ユーザが表示画面を見て指示する。そして、設計通りであると判断した場合には、表示内容「ＯＫ」が指示されて処理は終了する。一方、設計を変更等する場合には、表示内容「ＮＯ」が指示される。これにより、処理はステップＳ１に戻り、これらのルーチンを繰り返し実行する。
【００６０】
第２実施形態の電力系統ツリー表示システム８、電力系統ツリー表示装置９、電力系統ツリー設計方法及び電力系統ツリー表示プログラムによれば、表示部５が、生成された系統ツリー情報を表示すると共に、この系統ツリー情報に特性値情報、各電源の投入、切断シーケンス情報を重ねて表示する。
従って、電力系統ツリー表示システム８、電力系統ツリー表示装置９、電力系統ツリー設計方法及び電力系統ツリー表示プログラムによれば、表示部５の表示を、より一層詳細にでき、精度設計作業や設計検証作業を効率的に行うことができる。
【００６１】
なお、本発明の電力系統ツリー表示システム、電力系統ツリー表示装置、電力系統ツリー設計方法及び電力系統ツリー表示プログラムは、前述した各実施形態に限定するものでなく、適宜な変形や改良等が可能である。
【００６２】
以上述べたように、本発明の電力系統ツリー表示システム、電力系統ツリー表示装置、電力系統ツリー設計方法及び電力系統ツリー設計プログラムによれば、設計作業や設計検証作業を効率的に行うことができる。
【００６３】
本願は、２０１２年３月３０日に、日本に出願された特願２０１２−０７８５１６号に基づき優先権を主張し、その内容をここに援用する。
【産業上の利用可能性】
【００６４】
本発明に係わる電力系統ツリー表示によれば、設計作業や設計検証作業を効率的に補助することができる。
【符号の説明】
【００６５】
１    電力系統ツリー表示システム
２    電力系統ツリー表示装置
３    仕様情報記憶ユニット
４    ツリー情報作成部
５    表示部
６    搭載部品の仕様情報
７    設計情報
８    電力系統ツリー表示システム
９    電力系統ツリー表示装置
２０    電力系統ツリー表示部
２１    電源部
２１ａ〜２１ｃ    電源部
２２    デバイス
２２ａ〜２２ｃ    デバイス
２３ａ〜２３ｊ    電力経路
２４    分岐点
２４ａ〜２４ｃ    分岐点
２６    電源シーケンス表示部（シーケンス）
２６ａ〜２６ｄ    電源シーケンス表示部（シーケンス）
２８    プリント配線基板（配線基板）
２９    電源入力部
５０    タイミングの間隔
６０    電力系統ツリー表示部
６４    コネクタ
６６    電源シーケンス表示部（シーケンス）
６６ａ〜６６ｅ    電源シーケンス表示部（シーケンス）
７０    関連付け線（線）
８０    電力系統ツリー表示部
８６    電源シーケンス表示部（シーケンス）
８６ａ〜８６ｄ    電源シーケンス表示部（シーケンス）
２１０    立ち上がり時間
２１１    電源シーケンス順番
８１０    立ち下がり時間
【図１】
0005967191.tif 000002
【図２】
0005967191.tif 000003
【図３】
0005967191.tif 000004
【図４】
0005967191.tif 000005
【図５】
0005967191.tif 000006
【図６】
0005967191.tif 000007
【図７】
0005967191.tif 000008
【図８】
0005967191.tif 000009